(57)【特許請求の範囲】
【請求項１】
木造建築の基礎に埋設されて土台を固定するアンカーボルトと、該アンカーボルト間の基礎と土台との間に介挿される摩擦減震装置と、からなり、
前記アンカーボルトに螺入して基礎に土台を固定する締付ナットは外観が円柱状で長さが３０ｍｍ程度の長ナットの先端に丸座を具える丸座付きナットであって締付後の該アンカーボルトおよび該丸座付きナットの天端は土台の表面と同一レベルかそれ以下であり、該アンカーボルトが土台を貫通する貫通孔は土台の表面から順に第１の貫通孔および第２の貫通孔からなり、該第１の貫通孔の直径は該丸座付きナットの長ナット部の外径と略同一であって、該第２の貫通孔の直径は該第１の貫通孔の直径よりも大きく形成されるとともに、該第１の貫通孔の長さは該締付ナットの長ナット部よりも長く、かつ該第１の貫通孔の長さおよび該第２の貫通孔の長さの比率は１：１ないし１：２であり、
前記摩擦減震装置は上段に位置し土台に接触する第１の滑り平板と、下段に位置し基礎に接触する第２の滑り平板と、から構成され、該第１の滑り平板および該第２の滑り平板は円盤状を呈するとともに、該第１の滑り平板の直径は土台の幅と略同一であって該第２の滑り平板よりも大きく形成され、該第１の滑り平板および該第２の滑り平板が重ね合わされる面は平滑であり、
前記丸座付きナットで固定された前記アンカーボルトおよび摩擦減震装置が協働して地震に対抗する、ことを特徴とするアンカーボルトおよび摩擦減震装置の協働機構。
【請求項２】
前記第２の滑り平板が前記第１の滑り平板に重ね合わされる平滑な面には該第２の滑り平板と同心で断面が略二等辺三角形または略等脚台形を呈する１つ以上のリング状のリング突条が凸設される一方、該第１の滑り平板が該第２の滑り平板に重ね合わされる平滑な面には断面が下方向に広がる略等脚台形を呈し該リング突条に対置して該リング突条を跨るように被包するリング状のリング被包溝が刻設され、該リング突条の第２の滑り平板の中心からの距離は該リング被包溝の第１の滑り平板の中心からの距離と略同一であって、断面における該リング突条の斜辺は直線である一方、該リング被包溝の斜辺は下に凸の曲線または直線である、ことを特徴とする請求項１に記載のアンカーボルトおよび摩擦減震装置の協働機構。
【請求項３】
前記丸座付きナットの丸座の土台に接触する裏面には、中心から外側に向けて放射状に断面が略三角形で頂角が尖った１つ以上の三角突条が凸設されている、ことを特徴とする請求項１または請求項２に記載のアンカーボルトおよび摩擦減震装置の協働機構。
【請求項４】
前記第１の滑り平板の土台に接触する表面には先端が尖った複数の表面突起が略均等に凸設され、前記第２の滑り平板の基礎に接触する裏面の中心部には先端が尖った裏面突起が凸設されている、ことを特徴とする請求項１ないし請求項３のいずれかに記載のアンカーボルトおよび摩擦減震装置の協働機構。
【請求項５】
前記第１の滑り平板はその厚さを調整する嵩上げ部を有し、該嵩上げ部は外周面が前記第２の滑り平板の外周縁に一致する外周壁と、該第２の滑り平板の中心部を環囲する内周壁と、該外周壁および該内周壁に連結する複数の連結壁と、からなり、
前記第１の滑り平板は前記第２の滑り平板に面接触する滑り平面を具えるとともに、前記内周壁、前記外周壁および前記連結壁が形成する空間は上部が開放されている、ことを特徴とする請求項１ないし請求項４のいずれかに記載のアンカーボルトおよび摩擦減震装置の協働機構。
【請求項６】
前記第１の滑り平板の表面および前記第２の滑り平板の裏面には表面または裏面を横断する２本の横断溝が対置して刻設されるとともに、該第１の滑り平板の横断溝の両端部には前記第２の滑り平板をその中心を一致させて重ね合わせたときに該第２の滑り平板の外周縁まで達するスリットが形成され、該横断溝にリング状合成ゴムを嵌入したときには該リング状合成ゴムは該第１の滑り平板の表面および該第２の滑り平板の裏面より突出することなく巻回される、ことを特徴とする請求項１ないし請求項５のいずれかに記載のアンカーボルトおよび摩擦減震装置の協働機構。
【発明の詳細な説明】
【技術分野】
【０００１】
本発明は、木造建築におけるアンカーボルトおよび摩擦減震装置の協働機構に関し、さらに詳しくは、在来工法は勿論のこと根太を介することなく厚手の床下地材を大引きに直接貼り付ける工法（以下、「根太レス工法」という。）にも適したアンカーボルトとこのアンカーボルトに協働して地震力に対抗する摩擦減震装置に関する。
【背景技術】
【０００２】
上述したように、近年の木造建築では根太を介することなく厚手の床下地材を大引きに直接貼り付ける根太レス工法が行われることが多くなってきている。この根太レス工法では、基礎に土台を固定するアンカーボルトの頭部は、土台と同一レベル以下であることが必要となる。
【０００３】
一方で、木造建築に適した免震技術として、平板間の摩擦力を利用した減震装置が提案されていて、例えば、特許文献１に開示されている。特許文献１に開示の「摩擦減震装置」は本願出願人の発明であり「簡単な構造で施工性に優れ、中規模や大規模地震に有効に機能する摩擦減震装置であって、滑り面が１つであっても２つの場合と同様の減震効果を得ることができる摩擦減震装置を提供する」ことを課題としていて、その解決手段を「土台または基礎に接触する円盤状の第１の滑り平板と、基礎または杭頭に接触する円盤状の第２の滑り平板とからなり、前記第２の滑り平板の表面には略等脚台形を呈する１つ以上のリング状のリング突条が凸設される一方、該第１の滑り平板の底面には断面が下方向に広がる略等脚台形を呈し該リング突条に対置して該リング突条を跨るように被包する略等脚台形でリング状のリング被包溝が刻設され、前記第１の滑り平板はその厚さを調整する嵩上げ部を有する」構成としている。
【先行技術文献】
【特許文献】
【０００４】
【特許文献１】特開２０１６−１６６５１８号公報
【発明の概要】
【発明が解決しようとする課題】
【０００５】
しかしながら、特許文献１に開示の「摩擦減震装置」は、アンカーボルトに挿入する必要があることから、設置個所に制約があるとともに、アンカーボルトの挙動にも制限が加えられる。
【０００６】
そこで、本発明は根太レス工法にも適した摩擦減震装置を提供し、アンカーボルトおよび摩擦減震装置が協働して、地震の揺れに対して従来以上の効果を生じさせるアンカーボルトおよび摩擦減震装置の協働機構を提供する、ことを目的とする。
【課題を解決するための手段】
【０００７】
上記目的を達成するため、本願請求項１に係るアンカーボルトおよび摩減震装置の協働機構は、木造建築の基礎に埋設されて土台を固定するアンカーボルトと、該アンカーボルト間の基礎と土台との間に介挿される摩擦減震装置と、からなり、前記アンカーボルトに螺入して基礎に土台を固定する締付ナットは外観が円柱状で長さが３０ｍｍ程度の長ナットの先端に丸座を具える丸座付きナットであって締付後の該アンカーボルトおよび該丸座付きナットの天端は土台の表面と同一レベルかそれ以下であり、該アンカーボルトが土台を貫通する貫通孔は土台の表面から順に第１の貫通孔および第２の貫通孔からなり、該第１の貫通孔の直径は該丸座付きナットの長ナット部の外径と略同一であって、該第２の貫通孔の直径は該第１の貫通孔の直径よりも大きく形成されるとともに、該第１の貫通孔の長さは該締付ナットの長ナット部よりも長く、かつ該第１の貫通孔の長さおよび該第２の貫通孔の長さの比率は１：１ないし１：２であり、前記摩擦減震装置は上段に位置し土台に接触する第１の滑り平板と、下段に位置し基礎に接触する第２の滑り平板と、から構成され、該第１の滑り平板および該第２の滑り平板は円盤状を呈するとともに、該第１の滑り平板の直径は土台の幅と略同一であって該第２の滑り平板よりも大きく形成され、該第１の滑り平板および該第２の滑り平板が重ね合わされる面は平滑であり、前記丸座付きナットで固定された前記アンカーボルトおよび摩擦減震装置が協働して地震に対抗する、ことを特徴としている。
また、本願請求項２に係るアンカーボルトおよび摩擦減震装置の協働機構は、請求項１に記載のアンカーボルトおよび摩擦減震装置の協働機構であって、前記第２の滑り平板が前記第１の滑り平板に重ね合わされる平滑な面には該第２の滑り平板と同心で断面が略二等辺三角形または略等脚台形を呈する１つ以上のリング状のリング突条が凸設される一方、該第１の滑り平板が該第２の滑り平板に重ね合わされる平滑な面には断面が下方向に広がる略等脚台形を呈し該リング突条に対置して該リング突条を跨るように被包するリング状のリング被包溝が刻設され、該リング突条の第２の滑り平板の中心からの距離は該リング被包溝の第１の滑り平板の中心からの距離と略同一であって、断面における該リング突条の斜辺は直線である一方、該リング被包溝の斜辺は下に凸の曲線または直線である、ことを特徴としている。
そして、本願請求項３に係るアンカーボルトおよび摩擦減震装置の協働機構は、請求項１または請求項２に記載のアンカーボルトおよび摩擦減震装置の協働機構であって、前記丸座付きナットの丸座の土台に接触する裏面には、中心から外側に向けて放射状に断面が略三角形で頂角が尖った１つ以上の三角突条が凸設されている、ことを特徴としている。
さらに、本願請求項４に係るアンカーボルトおよび摩擦減震装置の協働機構は、請求項１ないし請求項３のいずれかに記載のアンカーボルトおよび摩摩減震装置の協働機構であって、前記第１の滑り平板の土台に接触する表面には先端が尖った複数の表面突起が略均等に凸設され、前記第２の滑り平板の基礎に接触する裏面の中心部には先端が尖った裏面突起が凸設されている、ことを特徴としている。
また、本願請求項５に係るアンカーボルトおよび摩擦減震装置の協働機構は、請求項１ないし請求項４のいずれかに記載のアンカーボルトおよび摩擦減震装置の協働機構であって、前記第１の滑り平板はその厚さを調整する嵩上げ部を有し、該嵩上げ部は外周面が前記第２の滑り平板の外周縁に一致する外周壁と、該第２の滑り平板の中心部を環囲する内周壁と、該外周壁および該内周壁に連結する複数の連結壁と、からなり、前記第１の滑り平板は前記第２の滑り平板に面接触する滑り平面を具えるとともに、前記内周壁、前記外周壁および前記連結壁が形成する空間は上部が開放されている、ことを特徴としている。
そして、本願請求項６に係るアンカーボルトおよび摩擦減震装置の協働機構は、請求項１ないし請求項５のいずれかに記載のアンカーボルトおよび摩擦減震装置の協働機構であって、前記第１の滑り平板の表面および前記第２の滑り平板の裏面には表面または裏面を横断する２本の横断溝が対置して刻設されるとともに、該第１の滑り平板の横断溝の両端部には前記第２の滑り平板をその中心を一致させて重ね合わせたときに該第２の滑り平板の外周縁まで達するスリットが形成され、該横断溝にリング状合成ゴムを嵌入したときには該リング状合成ゴムは該第１の滑り平板の表面および該第２の滑り平板の裏面より突出することなく巻回される、ことを特徴としている。
【発明の効果】
【０００８】
本願発明は以下の効果を奏する。
（１―１）摩擦減震装置がアンカーボルトとアンカーボルトの間に介挿されるので、摩擦減震装置の設置位置が制約されずに柱下のような大きな荷重が作用する箇所に設置することができ、その結果摩擦減震装置の設置個数を減らすことができる。
（１−２）締付後のアンカーボルトおよび丸座付きナットの天端を土台の表面と同一レベル以下とすることにより、在来工法は勿論のこと根太レス工法にも適したものとなる。
（１―３）アンカーボルトは丸座付きナットを介して土台に貫設された第１の貫通孔の孔壁に当接するため、第１の貫通孔の孔壁へのめり込みが軽減されて、アンカーボルト頂部の動きが殆ど拘束されない従来よりも半固定支持状態となって、アンカーボルト頂部の回動が拘束される。
（１―４）その上、第１の貫通孔の直径よりも直接基礎に対面する第２の貫通孔の直径が大きくなっているので、建物に地震時の横荷重が作用したときにアンカーボルトの曲がりが孔壁に邪魔されることなく許容されて、地震エネルギーはアンカーボルトに対する曲げ応力となって費消される。
（１―５）摩擦減震装置は第１の滑り平板と第２の滑り平板と、から構成されていて、その構成は至って単純な構成であるので、故障がなく信頼性も大きい。また、第１の滑り平板および第２の滑り平板はともに円盤状を呈するとともに、第１の滑り平板の直径は土台の幅と略同一であって第２の滑り平板よりも大きく形成されているので、土台と基礎の間に無理なく収納されることができる。そして、地震時には第１の滑り平板および第２の滑り平板との重ね合わせ面で水平な滑りが生じて静止摩擦が発生して、地震エネルギーは費消される。
（２）第２の滑り平板の表面に凸設されたリング突条と第１の滑り平板の裏面にリング突条を緩やかに被包するリング被包溝が刻設されているため、例えば、地震の揺れが比較的小さい場合には、第１の滑り平板と第２の滑り平板との重ね合わせ面で生じる静止摩擦により、上記の（１―５）の減震効果を奏するが、地震の揺れが比較的大きい場合には、リング突条およびリング被包溝の斜面同士が接触してリング突条にリング被包溝が乗り上がり、歪による摩擦が生じて減震効果を奏するようになる。この２つのダブル効果により、減震効果はより一層大きくなる。
（３）丸座付きナットの丸座の裏面に中心から外側に向けて放射状に断面が略三角形の三角突条が凸設されていることにより、丸座付きナットをアンカーボルトに螺入することで、土台の表面が削れるので、木材の面から飛び出さないように予め木材を掘り込む座彫りが不要となって、施工精度とともに施工能率が上昇する。
（４）第１の滑り平板の土台に接触する表面には先端が尖った複数の表面突起が略均等に凸設され、第２の滑り平板の基礎に接触する裏面の中心部には先端が尖った裏面突起が凸設されているので、設置したときにはこれらの突起部分が土台や基礎に食い込んで、この表面や裏面で滑りが生ずるおそれが少なく、第１の滑り平板と第２の滑り平板との重ね合わせ面で滑りが生ずる。
（５）第１の滑り平板の嵩上げ部は外周壁と内周壁と外周壁および内周壁に連結する複数の連結壁とから形成されていて上部が開放されている中空となっているので、軽量で扱い易く経済的であるばかりでなく、鋳造が可能となるので、安価に製造することができる。また、嵩上げ部の高さを調整することで、第１の滑り平板および第２の滑り平板の組み合わせでは、略５ｍｍないし３０ｍｍ程度の高さの摩擦減震装置が提供できるため、床下空間が密閉型や換気型等のあらゆる木造住宅に適用できる。
（６）第１の滑り平板および第２の滑り平板の組み合わせたものを予めリング状合成ゴムで巻回することにより、取付施工時には単にリング状合成ゴムで巻回した組み合わせ済みセットを基礎上に載置するだけの作業となって効率的となる。
【図面の簡単な説明】
【０００９】
【図１】図１はアンカーボルトおよび貫通孔の側面図、および基礎と土台との間に介挿された実施例１に係る摩擦減震装置の側面図である。
【図２】図２はアンカーボルトおよび貫通孔の拡大部分側面図である。
【図３】図３は摩擦減震装置の第１の滑り平板および第２の滑り平板の重ね合わせ面の部分断面拡大図である。
【図４】図４は実施例１に係る摩擦減震装置の第１の滑り平板の平面図である。
【図５】図５は実施例１および実施例２に係る摩擦減震装置の第２の滑り平板の裏面図である。
【図６】図６は実施例２に係る摩擦減震装置の側面図である。
【図７】図７（１）は実施例２に係る摩擦減震装置の第１の滑り平板の平面図であり、図７（２）は実施例２に係る摩擦減震装置の第１の滑り平板のＡ−Ａ断面図である。
【発明を実施するための形態】
【００１０】
本発明を実施するための形態に係る実施例について、図１ないし図７を参照して説明する。なお、図１ないし図７において、符号１１は丸座付きナット、符号１１１は丸座部、符号１１３は三角突条、符号１１５は長ナット部、符号１３はアンカーボルト、符号１５は貫通孔、符号１５１は第１の貫通孔、符号１５２は第２の貫通孔、符号３１は実施例1に係る摩擦減震装置、符号３２は実施例２に係る摩擦減震装置、符号４１は第１の滑り平板、符号４１０はリング被包溝、符号４１１は表面突起、符号４１２はリング状合成ゴム溝、符号４１３はスリット、符号４１４は水抜き孔、符号４２は嵩上げ部、符号４２１は外周壁、符号４２２は内周壁、符号４２３は連結壁、符号４３は第２の滑り平板、符号４３０はリング突条、符号４３１は裏面突起、符号４３２はリング状合成ゴム溝、符号４３３は滑り止め、符号５１は土台、符号５３は基礎、符号５５は柱、である。
なお、符号Ｒは第２の貫通孔１５２の直径、符号ｒはアンカーボルト１３の直径、符号Ｗはリング被包溝４１０の上辺の長さ、符号ｗはリング突条４３０の上辺の長さ、を示している。
【実施例１】
【００１１】
まず、丸座付きナット１１で締め付けられたアンカーボルト１３と摩擦減震装置３１の構成について、図１ないし図５を基にして説明する。
【００１２】
実施例ではアンカーボルト１３を１２ｍｍφのボルトとしている。そのアンカーボルト１３が螺入する丸座付きナット１１は、長ナット状の長ナット部１１５と長ナット部１１５の先端に連接される円盤状の丸座部１１１から形成されていて、長ナット部１１５は直径１６ｍｍφ×長さ３０ｍｍの円柱であり、丸座部１１１は外径が４５ｍｍφであって厚さ４．５ｍｍとなっていて、その中心には１２ｍｍφの螺入孔が螺刻されている。そして、丸座部１１１の土台５１に接触する裏面には、中心から外側に向けて放射状に断面が略三角形で頂角が尖った複数の三角突条１１３が凸設されていて、外側に行くにつれて三角突条１１３の凸設の高さが増している。
【００１３】
また、土台５１を貫通する貫通孔１５は第１の貫通孔１５１および第２の貫通孔１５２から形成されていて、その中心は一致し、上段に位置する第１の貫通孔１５１は１８ｍｍφ×長さ５０ｍｍであり、下段に位置する第２の貫通孔１５２は２４ｍｍφ×長さ５０ｍｍとなっていて、丸座付きナット１１の長ナット部１１５の外径は第１の貫通孔１５１の内径よりもやや小さい１６ｍｍφとなっている。
【００１４】
摩擦減震装置３１は、上段に位置し土台５１に接する第１の滑り平板４１と、下段に位置し基礎５３に接する第２の滑り平板４３と、から構成されている。第１の滑り平板４１は９０ｍｍφ×厚さ略３ｍｍの円盤であり、第２の滑り平板４３は７５ｍｍφ×厚さ略３ｍｍの円盤である。そして、互いに密着する滑り面は平滑であり、第１の滑り平板１０の滑り面には後述するリング突条２３に対応する位置に断面形状が略等脚台形を呈する第１の滑り平板４１と同心円のリング被包溝１５が刻設されている。リング被包溝１５は上辺の長さ（Ｗ）が１５．０ｍｍ、下辺の長さが２０．０ｍｍ、高さ（溝の深さ）が０．２ｍｍ、となっていて、斜辺は下に凸の曲線となっている。なお、リング被包溝１５の斜面、すなわち断面形状としての斜辺は曲線としているが、直線であっても良い。この場合、斜辺の勾配はリング突条２３の斜辺の勾配と一致する。また、第２の滑り平板２０の滑り面には第２の滑り平板４３と同心円のリング突条２３が凸設されていて、その断面形状は下方向に広がる略等脚台形であって、上辺の長さ（ｗ）が１．０ｍｍ、下辺の長さが１１．０ｍｍ．高さが０．２ｍｍ、となっている。
【００１５】
さらに、第１の滑り平板４１の表面には複数の先のとがった棘のような表面突起４１１が凸設され、第２の滑り平板４３の裏面の中心部には先端が尖った裏面突起４３１が凸設されている。そして、第１の滑り平板４１および第２の滑り平板４３を重ね合わせると、表面突起４１１や裏面突起４３１を除く本体の厚さが略６ｍｍとなって、気密性を要する床下空間に適したものとなっている。
【００１６】
また、第１の滑り平板４１の表面および第２の滑り平板４３の裏面には、それぞれ２本の平行なリング状合成ゴム溝４３２が刻設され、その両端部にはスリット４１３が形成されていて、図示外のリング状合成ゴムで巻回することができる。さらに、第２の滑り平板４３の裏面には、多数の円板状の滑り止め４３３が凸設されている。なお、第１の滑り平板４１の中心部には５ｍｍφの水抜き孔４１４が貫設されている。
【００１７】
摩擦減震装置３１は、アンカーボルト１３とアンカーボルト１３間の所定の位置の基礎５３の表面に予めコンクリート釘等で穴を穿ち、その穴に裏面突起４３１を合わせて基礎５３上に設置する。その後、土台５１に貫設した貫通孔１５をアンカーボルト１３に挿入することで摩擦減震装置３１の設置作業は終了する。なお、摩擦減震装置３１は、負担する荷重が大きいほどその効果が大きくなるとともに、設置個数を減らすことができるので、例えば柱５５の直下に配置するようにすると効果的である。
【００１８】
そして、摩擦減震装置３１の配置後に貫通孔１５が貫設された土台５１を基礎５３上に設置する。その後にアンカーボルト１３に丸座付きナット１１を螺入してインパクトレンチ等でさらに丸座付きナット１１を螺入するが、外側に行くほど凸設の高さが増す三角突条１１３により土台５１が削れて、丸座付きナット１１の天端を土台５１の表面と同一レベルかそれ以下とするように設置することは極めて容易となる。なお、アンカーボルト１３の天端は予め基礎５３の埋め込み時に土台５１の表面と同一レベルかそれ以下となるように設置する。
【００１９】
つぎに、アンカーボルト１３と摩擦減震装置３１の地震時の作用について説明する。なお、図１は地震時に基礎５３に対して土台５１（建物）が左方向に動いたときの状態を示している。
【００２０】
基礎５３に対して土台５１が摺動すると、アンカーボルト１３に曲げ応力が働いてアンカーボルト１３は曲がるが、アンカーボルト１３は丸座付きナット１１を介して第１の貫通孔１５１で掴持されているため第２の貫通孔１５２内で曲がりが生ずる。また、アンカーボルト頂部の動きが半ば拘束される半固定支持となって、土台に対する基礎の摺動に抵抗することで、地震のエネルギーを費消し、地震の揺れを和らげることができる。例えば、地震の揺れが比較的小さい場合は、第１の滑り平板４１と第２の滑り平板４３との重ね合わせ面で水平の滑りが生ずる。このときの摺動長さは、
リング被包溝４１０の上辺の長さ（Ｗ）−リング突条４３０の上辺の長さ（ｗ）
＝１５．０ｍｍ−１．０ｍｍ
＝１４．０ｍｍ・・・・・（１）
であり、一方で、アンカーボルト１３の第２の貫通孔１５２に対するクリやランスは、
第２の貫通孔１５２の直径（Ｒ）−アンカーボルト１３の直径（ｒ）
＝２４ｍｍ−１２ｍｍ
＝１２ｍｍ・・・・・（２）
となって、地震の揺れが比較的小さい場合には、アンカーボルト１３が第２の貫通孔１５２の孔壁にめり込むようなことは殆どない。
【００２１】
また、地震の揺れが比較的大きい場合には、リング突条４３０およびリング被包溝４１７の斜面同士が接触してリング突条４３０にリング被包溝４１７が乗り上がるようになるが、リング突条４３０およびリング被包溝４１７の斜面同士が接触した後は第１の滑り平板４１は第２の滑り平板４３に対して持ち上がり状態となり、第１の滑り平板４１および第２の滑り平板４３を締め付けているアンカーボルト１３の軸力が大きくなって摩擦力が増大して減衰効果を高め、第１の滑り平板４１および第２の滑り平板４３の滑り面同士は線接触することにより第２の貫通孔１５２の孔壁をアンカーボルト１３が押圧することになって集中荷重が発生し、その時に発生する歪が摩擦抵抗となって上昇して減衰効果を高めることとなる。
このようにして、本願発明ではアンカーボルト１３および摩減震装置３１が協働して地震の揺れに対抗する。
【実施例２】
【００２２】
つぎに実施例２について説明するが、丸座付きナット１１で締め付けられたアンカーボルト１３と摩擦減震装置３２の地震時における作用については、実施例１で説明した内容と略同一であるので、ここでは摩擦減震装置３２について、主に摩擦減震装置３１と異なる構成のみ説明する。
【００２３】
摩擦減震装置３２は、上段に位置し土台５１に接する第１の滑り平板４１と、下段に位置し基礎５３に接する第２の滑り平板４３と、から構成されている。第２の滑り平板４３については、摩擦減震装置３１と同様であるが、第１の滑り平板４１は下部に位置する滑り円盤と上部に位置する円柱状の嵩上げ部４２が合体した形状となっている。嵩上げ部４２の土台５１に直に接する円盤は９０ｍｍφであるが、それに続く円柱状の嵩上げ部の直径は７５ｍｍφで厚さが略１７ｍｍである。そして、嵩上げ部４２の外周部分は壁状の外周壁４２１が形成されるとともに、中心部を環囲する内径が２３ｍｍφの内周壁４２２が形成されて、内周壁４２２から放射状に外周壁４２１を結ぶ連結壁４２３が出ている。なお、外周壁４２１、内周壁４２２および連結壁４２３が形成する有底の空間は雨水等が溜まらないように水抜き孔４１４が貫設されている。
【００２４】
第１の滑り平板４１の表面には摩擦減震装置３１と同様に、複数の先のとがった棘のような表面突起４１１が凸設されている。また、第１の滑り平板４１および第２の滑り平板４３を重ね合わせると、略２０ｍｍとなって、換気性を要する床下空間に適したものとなっている。
【符号の説明】
【００２５】
１１  丸座付きナット
１１３  三角突条    
１３  アンカーボルト
１５  貫通孔
１５１  第１の貫通孔
１５２  第２の貫通孔
３１  実施例1に係る摩擦減震装置
３２  実施例２に係る摩擦減震装置
４１  第１の滑り平板
４１０  リング被包溝
４１１  表面突起
４１２  リング状合成ゴム溝
４１３  スリット
４２  嵩上げ部
４２１  外周壁
４２２  内周壁
４２３  連結壁
４３  第２の滑り平板
４３１  裏面突起
４３０  リング突条
４３２  リング状合成ゴム溝
５１  土台
５３  基礎
【要約】
【課題】根太レス工法にも適した摩擦減震装置を提供し、アンカーボルトおよび摩擦減震装置が協働して従来以上の効果を生じさせる協働機構を提供する。
【解決手段】基礎に埋設されたアンカーボルトが土台を貫通する貫通孔に挿入されて丸座付きナットで締め付けられて該基礎に該土台が固定され、前記アンカーボルト間の基礎と土台との間には該土台に接触する第１の滑り平板と、下段に位置し該基礎に接触する第２の滑り平板と、からなる摩擦減震装置が介挿され、前記貫通孔は前記土台の表面から順に第１の貫通孔および第２の貫通孔からなり、該第１の貫通孔の直径は前記丸座付きナットの外径と略同一であり、該第２の貫通孔の直径は前記第１の貫通孔の直径よりも大きく形成されるとともに、該第１の貫通孔の長さは該締付ナットの長ナット部よりも長く、かつ該第１の貫通孔の長さおよび該第２の貫通孔の長さの比率は１：１ないし１：２である、構成とした。
【選択図】図１【図１】
0006884261.tif 000002
【図２】
0006884261.tif 000003
【図３】
0006884261.tif 000004
【図４】
0006884261.tif 000005
【図５】
0006884261.tif 000006
【図６】
0006884261.tif 000007
【図７】
0006884261.tif 000008